(57)【要約】【課題】狭トラックピッチのランド・グルーブ記録においてクロス消去を低減できる光学情報の記録制御方法及び記録装置を提供する。【解決手段】光学情報記録媒体上の隣接する少なくとも３トラックに記録を行い、異なるトラックオフセット条件において前記記録手順を繰り返し行い、隣接する少なくとも３トラックの中心トラックにおいて記録された信号の信号品質を評価することによりクロス消去の観点からトラックオフセットの最適化を行う。【選択図】図１
2006221738.tif 000002
【特許請求の範囲】
【請求項１】
光学情報記録媒体に形成された案内溝にレーザ光を照射し、その反射光から得られる回折信号に基づいてレーザ光のトラッキング制御を行う光学情報の記録制御方法において、
互いに隣接する少なくとも３本のトラックにテスト記録を行い、記録された信号の再生信号品質を求め、求められた再生信号品質に基づいて前記トラッキング制御のためのトラックオフセットを調整することを特徴とする光学情報の記録制御方法。
【請求項２】
前記隣接するトラックは、案内溝内部及び前記案内溝間部を含むことを特徴とする請求項１に記載の光学情報の記録制御方法。
【請求項３】
トラックオフセットを変化させて前記案内溝内部及び案内溝間部の両方への前記テスト記録及び前記再生信号品質評価とを繰り返し行い、前記再生信号品質に基づいて最適なトラックオフセットを決定することを特徴とする請求項２に記載の光学情報の記録制御方法。
【請求項４】
前記隣接する少なくとも３本のトラックの中心は案内溝内部であり、前記案内溝内部に記録を行う際の記録パワＰＷ１と前記溝間部に記録を行う際の記録パワＰＷ２とがＰＷ２/ＰＷ１>１.１ を満たすことを特徴とする請求項１乃至３のいずれかに記載の光学情報の記録制御方法。
【請求項５】
光学情報記録媒体にレーザ光を照射して情報の記録を行う際の記録条件を調整する記録条件調整方法において、
前記光学情報記録媒体上の隣接する少なくとも３トラックにテスト記録を行う記録手順と、異なるトラックオフセットにおいて前記記録手順を繰り返す手順と、前記３トラックの中心トラックにおいて記録された信号の再生信号品質を評価して好適なトラックオフセットを決定する手順とを備えることを特徴とする光学情報の記録制御方法。
【請求項６】
光学情報記録媒体に形成された案内溝に沿ってレーザ光を照射し、その反射光から得られる回折信号に基づいてレーザ光のトラッキング制御を行う光学情報の記録装置において、
前記光学情報記録媒体からの反射光に基づいて記録情報を再生する再生回路と、
前記再生回路により再生された再生信号の再生品質を評価する信号品質評価回路と、
互いに隣接する少なくとも３本のトラックにテスト記録を行い、前記信号品質評価回路により記録された信号の再生信号品質を求めさせ、求められた再生信号品質に基づいて前記トラッキング制御のためのトラックオフセットを調整する制御回路と、
を備えることを特徴とする光学情報の記録装置。
【請求項７】
前記隣接するトラックは、案内溝内部及び前記案内溝間部を含むことを特徴とする請求項６に記載の光学情報の記録装置。
【請求項８】
前記制御回路は、トラックオフセットを変化させて前記案内溝内部及び案内溝間部の両方への前記テスト記録及び前記再生信号品質評価とを繰り返し行い、前記再生信号品質に基づいて最適なトラックオフセットを決定することを特徴とする請求項７に記載の光学情報の記録装置。
【請求項９】
前記隣接する少なくとも３本のトラックの中心は案内溝内部であり、前記案内溝内部に記録を行う際の記録パワＰＷ１と前記溝間部に記録を行う際の記録パワＰＷ２とがＰＷ２/ＰＷ１>１.１ を満たすことを特徴とする請求項６乃至８のいずれかに記載の光学情報の記録装置。
【発明の詳細な説明】
【技術分野】
【０００１】
本発明は、光学情報記録媒体にレーザ光を照射して情報の記録を行う光学情報の記録制御方法及び記録装置に関し、例えば、基板に形成された案内溝内と案内溝間部との両方に記録を行うランド・グルーブ記録を行う光学情報の記録制御方法及び記録装置に関する。
【背景技術】
【０００２】
一般に、レーザ光照射によって情報の記録・再生を行う光学情報記録媒体としては、ＣＤ−ＲやＤＶＤ−Ｒ等の追記型媒体、光磁気ディスク、ＣＤ−ＲＷやＤＶＤ−ＲＡＭ、ＤＶＤ−ＲＷ等の相変化光ディスクが知られている。これら記録型の光ディスクでは、予め案内溝が基板に形成されており、案内溝内部（グルーブ）及び案内溝間部（ランド）のいずれかあるいは両方で記録が行われる。記録を行う際には、光学情報記録媒体にレーザ光を照射した際に生じる案内溝からの回折信号（プッシュプル信号）を利用して、グルーブあるいはランドに沿ってレーザ光を追従（トラッキング）させており、一般には、プッシュプル信号のゼロクロス点に沿ってビームが追従するような制御（トラッキングサーボ）がかけられる。
【０００３】
一方、光学情報記録媒体の記録容量向上手段の１つとして、ランド及びグルーブの両方に記録を行うランド・グルーブ記録が知られている。ランド・グルーブ記録では実効的なトラックピッチはグルーブピッチの半分となるため、サーボ信号の劣化を招くことなくトラック密度を向上させることができる。
【０００４】
ランド・グルーブ記録における課題の一つは、ランドあるいはグルーブに記録を行った際に、隣接するグルーブあるいはランドに予め記録されてあった情報を消去してしまうというクロス消去であることが知られている。記録容量を向上させるにはトラックピッチを低減する必要があるが、クロス消去はトラックピッチが小さくなるほど深刻になる現象であり、重大な課題の一つである。
【発明の開示】
【発明が解決しようとする課題】
【０００５】
本願発明者は、ランド・グルーブ記録においては、プッシュプル信号のゼロクロス点によるトラッキングサーボが、クロス消去の観点からは必ずしも好適ではないことを見いだした。すなわち、プッシュプル信号のゼロクロス点によりトラッキングサーボをかけて情報の記録を行った場合、図９に示すように、隣接トラック間でクロス消去がアンバランスになり、クロス消去の大きなトラックでは予め記録されてあった情報がほとんど消去されてしまうという問題が生じることを見いだした。図９（Ａ）に示すように、ランド間のグルーブに沿ってレーザスポットを走査する際に、図９（Ｂ）に示すように、グルーブ記録後にはクロス消去が生じてしまう。この問題は、プッシュプル信号のゼロクロス点が必ずしもランドあるいはグルーブの中心と一致しないために起きている。
【０００６】
そこで、本発明の目的は、狭トラックピッチのランド・グルーブ記録においてクロス消去を低減できる光学情報の記録制御方法及び記録装置を提供することにある。
【課題を解決するための手段】
【０００７】
前述の課題を解決するため、本発明による光学情報の記録制御方法及び記録装置は、次のような特徴的な構成を採用している。
【０００８】
（１）光学情報記録媒体に形成された案内溝にレーザ光を照射し、その反射光から得られる回折信号に基づいてレーザ光のトラッキング制御を行う光学情報の記録制御方法において、
互いに隣接する少なくとも３本のトラックにテスト記録を行い、記録された信号の再生信号品質を求め、求められた再生信号品質に基づいて前記トラッキング制御のためのトラックオフセットを調整する光学情報の記録制御方法。
（２）前記隣接するトラックは、案内溝内部及び前記案内溝間部を含む上記（１）の光学情報の記録制御方法。
（３）トラックオフセットを変化させて前記案内溝内部及び案内溝間部の両方への前記テスト記録及び前記再生信号品質評価とを繰り返し行い、前記再生信号品質に基づいて最適なトラックオフセットを決定する上記（２）の光学情報の記録制御方法。
（４）前記隣接する少なくとも３本のトラックの中心は案内溝内部であり、前記案内溝内部に記録を行う際の記録パワＰＷ１と前記溝間部に記録を行う際の記録パワＰＷ２とがＰＷ２/ＰＷ１>１.１ を満たす上記（１）乃至（３）のいずれかの光学情報の記録制御方法。
（５）光学情報記録媒体にレーザ光を照射して情報の記録を行う際の記録条件を調整する記録条件調整方法において、
前記光学情報記録媒体上の隣接する少なくとも３トラックにテスト記録を行う記録手順と、異なるトラックオフセットにおいて前記記録手順を繰り返す手順と、前記３トラックの中心トラックにおいて記録された信号の再生信号品質を評価して好適なトラックオフセットを決定する手順とを備える光学情報の記録制御方法。
（６）光学情報記録媒体に形成された案内溝に沿ってレーザ光を照射し、その反射光から得られる回折信号に基づいてレーザ光のトラッキング制御を行う光学情報の記録装置において、
前記光学情報記録媒体からの反射光に基づいて記録情報を再生する再生回路と、
前記再生回路により再生された再生信号の再生品質を評価する信号品質評価回路と、
互いに隣接する少なくとも３本のトラックにテスト記録を行い、前記信号品質評価回路により記録された信号の再生信号品質を求めさせ、求められた再生信号品質に基づいて前記トラッキング制御のためのトラックオフセットを調整する制御回路と、
を備える光学情報の記録装置。
（７）前記隣接するトラックは、案内溝内部及び前記案内溝間部を含む上記（６）の光学情報の記録装置。
（８）前記制御回路は、トラックオフセットを変化させて前記案内溝内部及び案内溝間部の両方への前記テスト記録及び前記再生信号品質評価とを繰り返し行い、前記再生信号品質に基づいて最適なトラックオフセットを決定する上記（７）の光学情報の記録装置。
（９）前記隣接する少なくとも３本のトラックの中心は案内溝内部であり、前記案内溝内部に記録を行う際の記録パワＰＷ１と前記溝間部に記録を行う際の記録パワＰＷ２とがＰＷ２/ＰＷ１>１.１ を満たす上記（６）乃至（８）のいずれかの光学情報の記録装置。
【発明の効果】
【０００９】
本発明の光学情報の記録制御方法及び記録装置によれば、ランド・グルーブ記録の際のクロス消去を低減することができるのでトラックピッチを低減し、記録容量を向上させることが可能となる。
【００１０】
図１は本発明にかかる光学情報記録装置の一例を示す構成図である。光ヘッド３により光学情報記録媒体１００に照射されるレーザ光の強度はレーザ駆動回路５により制御され、レーザ光の集光位置はサーボ制御回路４により制御される。ディスク１００の厚さ方向に対するレーザ光の制御は通常フォーカスサーボと呼ばれ、ナイフエッジ法や非点収差法などによりサーボをかけるためのエラー信号が生成される。ディスクの半径方向に対するレーザ光の制御（ディスク回転時に案内溝に沿ってレーザ光を追従させる）は、通常トラッキングサーボと呼ばれ、プッシュプル法などによりサーボをかけるためのエラー信号が生成される。
【００１１】
コントローラ６からサーボ制御回路４にオフセット情報を送ることにより、フォーカスの追従位置あるいはトラッキングの追従位置を変化させることができる。従来知られているように、記録が好適となるレーザ光の集光位置は必ずしもフォーカスエラー信号のゼロクロス点とは一致するとは限らないので、フォーカスオフセット情報をサーボ制御回路４に送って適宜フォーカス追従位置を変化させる。また、上述のように、クロス消去低減の観点からは、トラックエラー信号のゼロクロス点が必ずしも好適ではないことから、コントローラからトラックオフセット情報をサーボ制御回路に送って適宜トラック追従位置を変化させることが必要である。
【００１２】
本実施例では、好適なトラックオフセットを決定するために、ランド（ここではトラック１と呼ぶ）と該ランドに隣接する両側のグルーブ、また、グルーブ（ここではトラック２と呼ぶ）と該グルーブに隣接する両側のランドにテスト記録を行う。テスト記録を行った後、トラック１の再生信号の信号品質及びトラック２の再生信号の信号品質を信号品質評価器２により評価する。トラックオフセットを変化させて前記手順を繰り返し行い、信号品質評価値に基づいて好適なトラックオフセットを決定し、オフセット情報をサーボ制御回路４に送る。ここで、信号品質評価値としては、ジッタやＳＮＲを用いることができる。
【００１３】
本実施例では、信号品質評価指標として、本願出願人の出願になる特開２００４−２１３８６２に開示されているＳＮＲを用いている。図２には、同公報に開示されている信号品質評価値Ｓを算出するための機能ブロック例が示されている。再生波形をＡＤ変換器２１により一定周波数でサンプリングした後、ＰＬＬ（位相同期ループ）回路を含んだ等化器２２によりクロック周期毎の等化再生波形データが得られる。等化は、ノイズ成分をできるだけ抑制しつつ、再生波形がＰＲ波形に基づく目標波形に最も近似されるように等化される。信号品質評価器２３は、入力した等化再生波形を用いて信号品質評価値Ｓを算出して、再生波形の品質評価を行う。
【００１４】
この光ディスク媒体等に記録された情報の再生波形の品質評価は、例えば、上記公報に開示されているように、所定のデータ列及び所定のパーシャルレスポンス特性から目標信号を求め、当該目標信号と、クロック周期毎の再生信号との差異である等化誤差をクロック周期毎に算出する。更に、算出された異なる時刻の等化誤差の積を求め、当該等価誤差の積に基づいて信号品質を評価するように行うことができる。より具体的には、ある二組の時系列データの差分とパーシャルレスポンス特性とを用いて定義されるノイズベクトル上に等化誤差を射影し、射影された等化誤差の分散と、前記二組の時系列データの差分とパーシャルレスポンス特性とを用いて定義されるユークリッド距離との比に基づいて信号品質を評価することができる。
【００１５】
記録を行う際には、コントローラ６からレーザ駆動回路５にレーザパワ情報を送り、レーザ光のパワを図３に示すような記録パワ、消去パワ、ボトムパワと呼ばれる多値レベルに変化させて記録を行う。
【実施例１】
【００１６】
波長４０５ｎｍ、ＮＡ=０.６５の光学ピックアップを用いて、相変化光ディスクに対して情報の記録・再生を行った。基板としてはピッチ０.６８μmの案内溝が形成されたポリカーボネート基板を用い、記録線速は５.６ｍ/ｓ、記録線密度は１３０ｎｍ/bitとし、データの再生にはＰＲ(１,２,２,２,１)等化及びビタビ検出を用いた。
【００１７】
先ず、初めに、トラックオフセット０の条件、すなわち、プッシュプル信号のゼロクロス点によりトラッキングをかけた状態で以下の手順で記録再生評価を行った。
【００１８】
ランド（ｎ-２トラック）、グルーブ（ｎ-１トラック）、ランド（ｎトラック）、グルーブ（ｎ＋１トラック）、ランド（ｎ＋２トラック）のランドを中心とする隣接する５トラックに(１-７)変調されたランダムデータを１０回記録した。ここで、ｎはディスク上のある記録トラックを識別するために用いた自然数であり、その値自体に意味はない。ここでは、数字が小さいトラックほどディスクの内周に存在するものとして表現している。すなわち、ｎ-１トラックはｎトラックの内周側に隣接するトラック、ｎ＋１トラックはｎトラックの外周側に隣接するトラックを表している。記録順序は、ランド（ｎ-２トラック）を１０回オーバライト、その後、ランド（ｎトラック）を１０回オーバライト、その後、ランド（ｎ＋２トラック）を１０回オーバライトし、その後、グルーブ（ｎ-１トラック）を１０回オーバライト、その後、グルーブ（ｎ＋１トラック）を１０回オーバライトとした。
【００１９】
また、前記隣接する５トラックとは別のグルーブを中心とする隣接５トラック、グルーブ（ｍ-２トラック）、ランド（ｍ-１トラック）、グルーブ（ｍトラック）、ランド（ｍ＋１トラック）、グルーブ（ｍ＋２トラック）の隣接する５トラックに(１-７)変調されたランダムデータを１０回記録した。記録順序は、記録順序は、グルーブ（ｍ-２トラック）を１０回オーバライト、その後、グルーブ（ｍトラック）を１０回オーバライト、その後、グルーブ（ｍ＋２トラック）を１０回オーバライトし、その後、ランド（ｍ-１トラック）を１０回オーバライト、その後、ランド（ｍ＋１トラック）を１０回オーバライトとした。
【００２０】
記録を行った後、隣接する５トラックの中心すなわち、ランド（ｎトラック）及びグルーブ(ｍトラック)にて記録された信号の品質評価を上記のような方法で行った。
【００２１】
次に、ランド及びグルーブのトラックオフセットを独立に±０.０４ μmの範囲で変化させて、上記手順と同様に隣接する５トラックにランダムデータを記録して、中心のランド及びグルーブのＳＮＲを測定した。ＳＮＲの測定結果を図４に示す。図４には各トラックオフセットの組み合わせごとに得られたＳＮＲを示してあり、ランドのトラックオフセット-０.０２μm、グルーブのトラックオフセット０.０２μm
で記録を行うのがランド・グルーブともに良好なＳＮＲが得られて、好適であることが分かる。なお、好適なトラックオフセットを決定するには、下記の手順に従えば良い。
【００２２】
（１）あるトラックオフセットの組み合わせにおいて得られたランド・グルーブのＳＮＲをそれぞれＳＮＲ１、ＳＮＲ２とする。
（２）ＳＮＲ１、ＳＮＲ２のうち小さい方をその条件におけるＳＮＲとする。
（３）トラックオフセットの組み合わせごとに求められた（２）のＳＮＲを比較し、最大のＳＮＲが得られる条件を最適条件とする。
【００２３】
図４から、狭トラックのランド・グルーブ記録では、トラックオフセット０の条件ではなく、所定のオフセットを加えてトラッキングサーボをかけた方が良好な記録特性が得られることが分かる。
【実施例２】
【００２４】
実施例１では、隣接する５トラックを対象とし、各トラックにおいて１０回記録を行ったが、トラックオフセット調整時間の短縮のためには、記録回数や記録トラックを低減することが望ましい。そこで、本実施例では、隣接する３トラックをトラックオフセット調整のための対象とし、かつ、各トラックにおける記録回数を１回とした。ただし、クロス消去の影響を調べるために、隣接トラック記録時のみ、記録パワを最適記録パワより１０％増加させて記録を行った。すなわち、調整手順としては次の通りとなる。
【００２５】
先ず、初めに、トラックオフセット０の条件、すなわち、プッシュプル信号のゼロクロス点によりトラッキングをかけた状態で以下の手順で記録再生評価を行った。
【００２６】
グルーブ（ｎ-１トラック）、ランド（ｎトラック）、グルーブ（ｎ＋１トラック）のランドを中心とする隣接する３トラックに(１-７)変調されたランダムデータを１回記録した。ここで、ｎはディスク上のある記録トラックを識別するために用いた自然数であり、その値自体に意味はない。ここでは、数字が小さいトラックほどディスクの内周に存在するものとして表現している。すなわち、ｎ-１トラックはｎトラックの内周側に隣接するトラック、ｎ＋１トラックはｎトラックの外周側に隣接するトラックを表している。記録順序は、ランド（ｎトラック）に標準パワで１回記録、その後、グルーブ（ｎ-１トラック）を標準パワの＋１０％パワで１回記録、その後、グルーブ（ｎ＋１トラック）を標準パワの＋１０％パワで１回記録とした。
【００２７】
また、前記隣接する３トラックとは別のグルーブを中心とする隣接３トラック、ランド（ｍ-１トラック）、グルーブ（ｍトラック）、ランド（ｍ＋１トラック）に(１-７)変調されたランダムデータを１回記録した。記録順序は、グルーブ（ｍトラック）に標準パワで１回記録、その後、ランド（ｍ-１トラック）を標準パワの＋１０％パワで１回記録、その後、ランド（ｍ＋１トラック）を標準パワの＋１０％パワで１回記録とした。
【００２８】
記録を行った後、隣接する３トラックの中心すなわち、ランド（ｎトラック）及びグルーブ(ｍトラック）にて記録された信号の品質評価を行った。信号品質評価指標として、実施例１と同様にＳＮＲを用いた。
【００２９】
次に、ランド及びグルーブのトラックオフセットを独立に±０.０４μｍの範囲で変化させて、上記手順と同様に隣接する３トラックにランダムデータを記録して、中心のランド及びグルーブのＳＮＲを測定した。ＳＮＲの測定結果を図５に示す。
【００３０】
図５から最適なトラックオフセットは、実施例１と同様にランドのトラックオフセット-０.０２μm、グルーブのトラックオフセット０.０２μmであることが分かる。
【００３１】
実施例２では隣接記録パワを標準記録パワの＋１０％で記録を行ったが、本比較例では、隣接トラック記録時の記録パワも標準パワのままとして、実施例２と同様に隣接トラック１回記録の条件でトラックオフセットとＳＮＲの関係を調べた。ＳＮＲの測定結果を図６に示す。実施例１あるいは実施例２とは異なり、ＳＮＲのトラックオフセット依存性が小さく、最適なトラックオフセットを決定するのが困難であることが分かる。これは、隣接トラック標準パワ１回記録の条件では、中心トラックに記録されているデータの消去はほとんど起こらず、中心トラックにおける信号劣化要因がクロストークのみとなっているからである。クロストークはトラックオフセットに依存して変化はするものの、その依存性はクロス消去に比べて小さいために、本比較例では、最適なトラックオフセット判定が困難であったと考えられる。
【００３２】
なお、隣接トラック記録条件を、標準パワの＋５％記録パワ、記録回数１回とし、本比較例と同様の実験を行ってトラックオフセットの最適化を試みたが、ＳＮＲの劣化量が小さく、最適なトラックオフセットを見つけだすことが困難であった。実施例２と本比較例の結果から、隣接トラック記録回数を減らして、トラックオフセット調整時間を短縮するためには、隣接トラック記録時の記録パワは標準記録パワの１０％以上増加させなければならないことが分かる。
【００３３】
なお、隣接トラック記録時のパワが極端に高い場合には、たとえ最適トラックオフセット条件であっても、中心トラックの信号が消去されてしまい、再生信号の品質評価を行うことができなくなってしまうので、隣接トラック記録時の記録パワは標準記録パワの２倍以下（＋１００％以下）であることが望ましい。
【００３４】
上記実施例では、信号品質評価指標としてＳＮＲを用いたが、他の指標を用いても良い。例えば、記録密度が低くジッタが計測できるような場合にはジッタを用いても良い。この場合のトラックオフセット調整手順は次の通りである。
【００３５】
（１）あるトラックオフセットの組み合わせにおいて得られたランド・グルーブのジッタをそれぞれσ１、σ２とする。
（２）σ１、σ２のうち大きい方をその条件におけるジッタσとする。
（３）トラックオフセットの組み合わせごとに求められた（２）のσを比較し、最小のσが得られる条件を最適条件とする。
ＳＮＲのように高い値が好ましい指標の場合には、ランド・グルーブいずれかで低い方の値を選択し、その低い値の中から最大値を探すことで最適トラックオフセットを決定し、ジッタのように低い値が好ましい指標の場合には、ランド・グルーブいずれかで高い方の値を選択し、その高い値の中から最小値を探すことで最適トラックオフセットを決定すれば良い。
【００３６】
上記実施例において説明してきたトラックオフセット調整手順の流れについて図７を参照してまとめると以下の通りである。図８では、隣接する３トラックに記録を行って最適トラックオフセットを決定する場合の流れを説明してあるが、隣接する５トラックに記録を行う場合も基本的な流れは同じであり、ランド記録の際にｎ−２、ｎ＋２トラックが加わり、また、グルーブ記録の際にｍ−２、ｍ＋２が加わるのみである。
【００３７】
先ず、ランド及びグルーブに独立にトラックオフセット値（TO_L、TO_G）を設定し、ランドを中心とする３トラックに記録を行う。記録手順は、初めにランド、次に両側隣接グルーブの順とする。次に、グルーブを中心とする３トラックに記録を行う。記録手順は、グルーブ、次に両側隣接ランドの順とし（ステップＳ１〜Ｓ５）、記録を行ったランドの再生信号品質評価を行い、評価値Ｓ１（TO_L、TO_G）を求める（ステップＳ６）。続いて、ステップＳ３で記録を行ったグルーブの再生信号品質評価を行い、評価値Ｓ２（TO_L、TO_G）を求め（ステップＳ７）、トラックオフセットを変化させて、ステップＳ１〜Ｓ７の処理を繰り返す。そして、評価値を記録、判定し（ステップＳ８）、ステップＳ９において、最適トラックオフセットを決定する。
【００３８】
上述のような本発明によれば、図８（Ａ）に示すように、ランド間のグルーブに沿ってレーザスポットを走査する際に、図８（Ｂ）に示すように、グルーブ記録後のクロス消去は生じない。隣接トラック間のクロス消去アンバランスを解消することができれば、クロス消去を低減することが可能となる。なお、トラックピッチが広い場合には、レーザ光がランドあるいはグルーブの中心を追従していなくても、クロス消去が生じないので大きな問題にはならないが、記録容量を向上させるためにトラックピッチを低減させるにはクロス消去低減は必須となる。
【００３９】
以上、本発明の好適実施例の構成及び動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００４０】
【図１】本発明にかかる光学情報記録装置の構成例を示す図である。
【図２】本発明の実施例で用いる信号品質評価値の算出機能ブロック例を示す図である。
【図３】光学情報記録媒体に記録を行う際のレーザ光駆動波形を説明する図である。
【図４】本発明の実施例におけるＳＮＲ測定結果を示す図である。
【図５】本発明の他の実施例におけるＳＮＲ測定結果を示す図である。
【図６】本発明の実施例におけるＳＮＲ測定結果を示す図である。
【図７】本発明の実施例におけるトラックオフセット調整手順の流れを説明する図である。
【図８】本発明によりトラックオフセットの最適化によりクロス消去の抑制が可能となる説明図である。
【図９】従来の装置においてランド・グルーブ記録におけるクロス消去を説明するための図である。
【符号の説明】
【００４１】
２１      ＡＤ変換器
２２      等化器
２３      信号品質評価器
【図１】
2006221738.tif 000003
【図２】
2006221738.tif 000004
【図３】
2006221738.tif 000005
【図４】
2006221738.tif 000006
【図５】
2006221738.tif 000007
【図６】
2006221738.tif 000008
【図７】
2006221738.tif 000009
【図８】
2006221738.tif 000010
【図９】
2006221738.tif 000011